(57)【要約】      （修正有）【課題】弓道に用いる矢受け具及び仮設の安土に関するもので、音による的中の判定が容易で、矢がはね返り破損することや、深く刺さりすぎて矢が抜きづらいということがなく、矢が汚れず、設置が容易で、繰り返し使用でき、土や砂に近い色にするのに費用が掛からず、廃棄処分に費用が掛からず、環境を悪化させない矢受け具及び仮設安土を提供する。【解決手段】弓道で使用する巻藁の矢受けブロックや仮設安土における矢受けパネルを、板紙製のハニカム構造のブロックないしパネルとする。矢が刺さる方向をハニカムの孔９の方向とし、ハニカムの小口面を前面（矢が射込まれる面）とした矢受け具４である。実用的には、芯紙の波板の孔９の方向を幅方向として、矢が貫通しない厚さ寸法ｔに相当する幅寸法に切断した段ボール７の多数枚を積重して製作する。【選択図】図１
2010256002.tif 000002
【特許請求の範囲】
【請求項１】
波状に成形した紙の多数枚をその波の方向を同一方向にして積重してなり、内部に弓道で用いる矢の太さより細い互いに平行な多数の孔が形成され、当該孔の長手方向の寸法を射込まれた矢が貫通しない寸法としたブロック状ないしパネル状の矢受け具。
【請求項２】
段ボールを積重して、積重された段ボールの芯紙の波により形成された多数の孔が開口している面に向けて射込まれた矢が貫通しない厚さを備えたブロック状ないしパネル状に形成した、矢受け具。
【請求項３】
架台の射手に向く面に当該面に向けて射込んだ矢が貫通しない厚さを備えた複数枚のパネルを射手から見て左右方向に隙間なく並置してなる弓道競技ないし弓道練習用の仮設安土において、
前記パネルが、パネル状に形成された請求項１又は２記載の矢受け具であることを特徴とする、仮設安土。
【請求項４】
芯紙となる波板で形成される孔の貫通方向を幅方向とした細長い短冊状の段ボールをその長手一端から巻いて形成したハニカム構造の円筒体からなり、当該円筒体の長さがその小口面から射込んだ矢が貫通しない長さであることを特徴とする、矢受け具。
【請求項５】
芯紙となる波板で形成される孔の貫通方向を幅方向とした矩形の段ボールの多数枚を貼り合わせたハニカム構造のブロックないしパネルからなり、当該多角筒体の長さがその小口面から射込んだ矢が貫通しない長さであることを特徴とする、矢受け具。
【発明の詳細な説明】
【技術分野】
【０００１】
この発明は、弓道の競技ないし練習に使用する矢受け具並びに当該矢受け具を用いた仮設の安土及び巻藁に関するものである。
【背景技術】
【０００２】
安土は、弓道の競技や練習などで矢を射る際に的を掛ける場所で、図７に示すように、土や砂を山形ないし畝状に盛り上げて築くものである。安土は、飛んでくる矢を止めて周囲に飛び散るのを防ぎ、的の周囲の器物や矢が損傷するのを防止する役目を持っており、矢が適度に刺さり、かつ通り抜けない程度の強度が必要である。
【０００３】
専用の弓道競技場や練習場では、土や砂を盛った本来の安土を設置しているが、体育館などに仮設の射場を設けて競技会などを行うときは、ウレタンマット、発泡プラスチック保温材、タタミ等の矢受けパネルを用いた仮設安土を設けている。
【０００４】
仮設安土は、図８に示すように、架台１の前面（射手に向く面）にウレタンマット、発泡プラスチック保温材、タタミ等からなる矢受けパネル６を固定したもので、これらの矢受けパネル６の前面に串と呼ばれる留め具を用いて的５を取り付ける。
【発明の概要】
【発明が解決しようとする課題】
【０００５】
ウレタンマット、発泡プラスチック保温材、タタミ等を用いた従来の矢受けパネル６は、以下に述べるような問題点があった。
（１）発生音について、安土に矢が刺さったときの音が大きいため、的に当たったときと、外れたとき発生する音が同じように聞こえ、音による的中の判定が難しい。
（２）矢の貫通（刺さり方）の程度について、矢受けパネルの材質によっては、矢がはね返り破損したり、深く刺さりすぎて矢が抜きづらい。
（３）矢の汚れについて、矢受けパネルの材質によっては、矢が刺さったときの摩擦熱で矢の周囲が溶け、それが矢に付着し矢が汚れる。
（４）設置・運搬・保管について、柔らかい材質の矢受けパネルは、架台に固定しづらく、パネル自体の精度と設置精度を上げるのが難しい。
（５）矢受けパネルの交換や補修について、的及び的の周りに集中的に矢が刺さるため、その部分に安土の破損が集中するが、その部分のみの取替が難しい。また、矢受けパネルを繰り返し使用できない。
（６）色について、本来の安土の色である、土や砂に近い色にするのに費用が掛かる。
（７）環境について、使用済み材料の廃棄処分に費用が掛かり、材料によっては処分が環境を悪化させるおそれがある。
【０００６】
この発明は、ウレタンマット、発泡プラスチック保温材、タタミ等に代えて用いることができる矢受け具を提供することを課題としており、弓道競技場に設置する仮設安土や弓道の練習に用いる巻藁に使用するための、上記の問題点を解決した矢受け具を提供することを課題としている。
【課題を解決するための手段】
【０００７】
この発明は、波状に成形した紙の多数枚をその波の方向を同一方向にして積重することにより形成された、内部に矢の太さより細い互いに平行な多数の孔を備えた、すなわちハニカム構造の、ブロック状ないしパネル状の矢受け具を提供することにより、上記課題を解決している。この発明は、実用的には、段ボールを積重してブロック状ないしパネル状にした矢受け具を提供することにより、上記課題を解決している。段ボールは、波状に成形した芯紙の片面または両面に厚紙（ライナー）を貼り合せた板紙である。波状に成形した紙ないし段ボールを積重した六面体のブロックないしパネルは、波状の紙（芯紙）の波の長手方向と平行な４面と、積重された波により形成された多数の孔が開口している２面（以下、「ハニカム面」という。）とを備えている。この発明の矢受け具は、ハニカム面に射込まれた矢が貫通しない厚さを備えている。すなわち、ブロックないしパネルの厚さは、波状に成形した紙の波の長手方向の寸法である。
【０００８】
上記従来構造の仮設安土の問題点を解決したこの発明の仮設安土は、上記構造の矢受けパネル（パネル状の矢受け具）４を架台１の前面に隙間なく並べて固定した構造である。この発明の仮設安土における矢受けパネル４は、板紙製のハニカム構造のパネルで、矢が刺さる方向をハニカムの孔の方向とし、ハニカムの小口面を前面（矢が射込まれる面）とした縦横所定寸法のパネルである。実用的には、段ボールを芯紙となる波板の孔の方向を幅方向として矢受けパネルの厚さ寸法ｔに相当する幅寸法に切断して多数枚を貼り合わせて製作する。
【０００９】
矢受けパネル４の高さ寸法ｈは、矢受けパネル４を積み重ねることなく所定高さの仮設安土が構築できる寸法とするのが好ましい。幅寸法については、製造や保管・運搬の便を考慮して決定するのがよい。
【００１０】
すなわち、好ましいこの発明の仮設安土は、段ボールを貼り合わせて射込まれた矢が貫通しない厚さを備えたパネル４にして、その多数枚を架台１の前面に設置することにより構築する。貼り合せた段ボールの小口（ハニカム面）を矢を射込む面とする。矢受けパネル４は、下地となる架台１の前面に射手から見て左右方向に並べて固定されるが、パネル４毎に枠を設けて、その枠付きの個々の矢受けパネルを連結して仮設安土とすることもできる。
【００１１】
この発明の弓道練習用の巻藁１０は、芯紙となる波板紙の孔の方向が幅方向となるようにして射込まれた矢が貫通しない幅寸法ｔの細長い短冊状に形成した段ボール７を、渦巻き状に巻いて円筒形にしたものである。正面形状が正方形や多角形で良ければ、断面を多角形としたものでは、段ボールを巻く代わりに、所定寸法に切断した段ボール７の多数枚を貼り合わせて製作することもできる。
【００１２】
この発明の矢受け具は、多数枚の波状に成形した紙ないし段ボールの貼付けて一体化した構造に限られない。多数枚の波状の紙ないし段ボールは、積重した状態で締付けることにより、この発明の矢受け具とすることができる。すなわち、締付け枠に多数枚の波状の紙ないし段ボールを並べて挿入し、その多数枚を締付けることにより、この発明のブロック状ないしパネル状の矢受け具とすることができる。
【発明の効果】
【００１３】
上記構造の矢受け具を用いることにより、従来構造の仮設安土の問題点が次のように解決される。
（１）発生音について、矢がハニカム面から刺さるため、音の発生が少なく、的に当たったときと、外れたときの音の差が明確で、音による的中の判断が容易である。
（２）矢の貫通（刺さり方）の程度について、ハニカム面から矢が刺さると、一般の弓力では摩擦により２５ｃｍ程度以内で止まり、本来の土の安土と同程度の貫通量である。また、矢のはね返りはほとんどなく、矢の破損のおそれがない。
（３）矢の汚れについて、材料が板紙のため、熱で融けることがなく、矢に汚れが付かない。
（４）設置・運搬・保管について、強度のあるハニカム構造のパネルとなるので、設置・運搬・保管に適当な寸法のパネルとすることができる。そのパネルを架台に固定、又は個別にフレームに入れ、それを連結することにより、自由な間口の仮設安土を形成できる。パネルの寸法を同じにすることにより、運搬や保管がしやすく、屋内なら材料の劣化はほとんどない。
（５）矢受けパネルの交換について、的の周りの破損が進んだ場合は、上下、裏表を入替えることにより繰り返し使用できる。また、的の間隔より狭い幅のパネルにして、的の架かっていないパネルと位置を替えることにより、全てのパネルを均等に使用できる。
（６）色について、段ボール自体が土に近い色のため、そのまま使用でき、自然な風合いである。
（７）環境について、損傷して使えなくなった段ボール製の矢受けパネルは、一般ゴミとして焼却処理できる。
（８）汎用性等について、この発明の矢受け具は、矢を受け止る材料としての使い道が優れている。パネル状の矢受け具は、遠的の的の下地として使用することもできる。また、ブロック状の矢受け具は、弓道の練習用の巻藁（藁を堅く束ね、丸くしっかり締めたもの）の代用として使用できる。巻藁などとして用いるときは、貼り合せず、重ねて締付けることにより固定しても良い。
【図面の簡単な説明】
【００１４】
【図１】この発明のパネル状の矢受け具の一例を示す斜視図
【図２】この発明のブロック状の矢受け具の一例を示す斜視図
【図３】この発明の仮設安土を模式的に示した斜視図
【図４】具体的な仮設安土の構造の一例を示す側面図
【図５】図２の矢受け具を用いた弓道練習用の巻藁の斜視図
【図６】締付け型の矢受け具を用いた弓道練習用の巻藁の斜視図
【図７】土製の安土の模式的な斜視図
【図８】従来の仮設安土の例を示す模式的な斜視図
【発明を実施するための形態】
【００１５】
以下、図面を参照して、この発明の矢受け具及び仮設安土の実施例を説明する。パネル状の矢受け具４は、図１に示すように、多数枚の段ボール７・・・を貼り合せた構造である。段ボールの芯紙８で形成される孔９の方向がパネル４の厚さ方向となっている。この矢受けパネル４は、市販の段ボールを矢受けパネル４の厚さ寸法ｔと高さ寸法ｈ（図４参照）に相当する短冊状に切断して、その多数枚を貼り合せることによって製造されている。段ボールは種々の硬さのものや芯紙が多層になったものなどが市販されており、使用する段ボールの固さなどに応じて矢が貫通しない厚さ寸法ｔを決定する。
【００１６】
ブロック状の矢受け具は、図２に示すように、段ボール７を、その芯紙の孔の方向を製作しようとする矢受け具の厚さ方向として、その厚さに相当する幅ｔの長い短冊状に切断した段ボールをを長手一端から渦巻状に巻き込んで円筒形のハニカム構造とすることで製作することができる。このような円筒形の矢受け具は、図５に示すように、巻藁台３１の上に固定して、弓道練習用の巻藁として使用するのに適している。巻藁として使用する矢受け具は、矩形に切断した多数枚の段ボールを貼り合わせて製作することもできる。その際、積重方向の両端近くの段ボールの幅を順次狭くして、ハニカム面が八角形になるように、製作することもできる。
【００１７】
図３及び４は、図１に示した矢受けパネル４を用いたこの発明の仮設安土の例を示した図で、１は架台、２は架台を構成する支持枠、３は支持枠の前面に固定して架台の前面を形成する貫通止めパネル、４は貫通止めパネル３の前面に固定した矢受けパネル、５は矢受けパネル４の前面の所定位置に串などの固定具で懸架した的である。
【００１８】
図４に示すように、仮設安土の架台１は、木製や金属製の支柱１１で組み立てた支持枠２の前面に、貫通防止パネル３となる板材（通常、コンパネと呼ばれている木製の板が用いられる。）を固定することにより構築されている。この架台１の前面に、矢受けパネル４が若干斜めにして立て掛けた状態で固定される。横に並べた複数枚の矢受けパネル４は、その上縁と下縁に木製の繋ぎ杆１３、１４を配置して、それらに上下縁を固定することにより、隙間なく整然と並べて固定される。
【００１９】
矢受けパネル４の手前下方には、高さ調整用のマットないしパネル１６が敷かれ、矢受けパネル４の上部には、上方に大きく外れた矢を受ける防矢ネット２１が懸吊されている。仮設安土の手前上方には、垂れ幕１７が架台１の上部から前方に延びる腕１８の先端に懸吊して設けられている。腕１８の前端は、ターンバックル１９を設けたワイヤ２０で支えられている。的５は、串と呼ばれる専用の留め具で、矢受けパネル４の下方部に横方向に所定間隔で取り付けられる。
【００２０】
以上は、仮設安土についてであるが、弓道の練習の際に矢を射込む道具として用いられるものに、巻藁と呼ばれているものがある。本来これは、藁を円筒形に束ねたもので、巻藁台３１の上に載せ、その小口に向けて矢を射るものである。図５は、図２に示した矢受けブロック１０を巻藁台３１の上に固定して弓道練習用の巻藁とした例を示したものである。コンバインの普及によって、巻藁に用いる藁の入手が困難になっているが、ブロック状にしたこの発明の矢受け具を用いれば、製作が容易で、弓道の練習をより簡便に行うことができる。
【００２１】
この発明の矢受け具は、複数枚の段ボールを貼り合わせて製作することができるが、張り合わさずに単に積重して固定した構造としても良い。図６は、そのような構造の矢受け具を巻藁として用いる例を示した図である。図６において、３１は巻藁台、３２は巻藁台の上に固定された締結枠、３３は締結枠に積重状態で挿入された矩形の多数枚の段ボール７からなる矢受け具である。
【００２２】
締結枠３２は、矩形の底板（図には表れていない。）の四隅と天板３５の四隅とを４本の柱３６で繋いだ枠体（フレーム）と、この枠体の前面（矢を射込む側の面）に上方から差込まれた着脱自在な前板３７と、背面板（図には表れていない）と、天板３５に固定したナット３９に螺合された昇降ねじ４０の下端に連結された押え板４１とを備えている。ナット３９及び昇降ねじ４０は、天板３５の面積中心に対称に４個設けられており、それらの昇降ねじ４０の下端が押え板４１にそれぞれ回動自在かつ軸方向移動不能に連結されている。押え板４１は、柱３６に沿って昇降自在である。前板３７には、その上端が押え板４１の下降端より低い位置となる開口４２が設けられている。
【００２３】
昇降ねじ４０で押え板４１を上昇させ、前板３７を取外した状態で、枠体内に枠体の内側に小口を前面側にして丁度収まる寸法に切断した段ボールを多数枚積み重ねて入れ、前板３７を差込み、昇降ねじ４０で押え板４１を押し下げることにより、積み重ねた段ボール７を締付けて固定する。前板３７の開口４２には、積重された段ボール７のハニカム面が表れているから、それに向かって矢を射る。多数の矢を射込むことによって開口４２の中心部の段ボールが傷んだら、昇降ねじ４０を緩め、前板３７を外して、傷んだ段ボールを新しいものに交換する。矢が射込まれていない上下端の段ボールと交換しても良い。段ボールは、一枚ずつ交換できるようにしても良いが、複数枚を予め貼り合わせておき、複数枚単位で交換するできるようにしても良い。後者の構造が段ボールの取扱いや枠体への装着・交換作業が容易である。このように締付けて積重状態を固定したこの発明の矢受け具は、段ボールを一枚ずつ又は複数枚貼り合わせたものを一単位として、傷んだ箇所を部分的に交換して修復できるから、経済的であると共に、資源の有効利用や廃棄物の低減を図ることができる。
【符号の説明】
【００２４】
２  支持枠
４  パネル状の矢受け具
５  的
７  段ボール
８  段ボールの芯紙
９  芯紙で形成される孔
１０  ブロック状の矢受け具
３１  巻藁台
３２  締結枠
３３  矢受け具
ｔ  パネルないしブロックの厚さ
【図１】
2010256002.tif 000003
【図２】
2010256002.tif 000004
【図３】
2010256002.tif 000005
【図４】
2010256002.tif 000006
【図５】
2010256002.tif 000007
【図６】
2010256002.tif 000008
【図７】
2010256002.tif 000009
【図８】
2010256002.tif 000010